Podtech/llm-jp-corpus-v4-ja_patent huggingface dataset:
(57)【要約】  皮膚接触を対象とした布地を含む衣服であって、この布地は、少なくとも２０重量％の、３０〜５００ＭＰａの弾性率（ＩＳＯ  ５２７、１ＢＡ、１ｍｍ／分、２３℃）を有するポリマー組成物から生成されるフィラメントを含む。【選択図】なし【特許請求の範囲】
【請求項１】
皮膚接触を対象とした布地を含む衣服であって、前記布地は、少なくとも２０重量％の、３０〜５００ＭＰａの弾性率（ＩＳＯ  ５２７、１ＢＡ、１ｍｍ／分、２３℃）を有するポリマー組成物から生成されるフィラメントを含むことを特徴とする、衣服。
【発明の詳細な説明】
【発明の詳細な説明】
【０００１】
本発明は、皮膚接触を対象とした布地を含む、スポーツ衣服、防護衣服、ボディシェーピング（ｂｏｄｙ  ｓｈａｐｉｎｇ）用衣服、及び医学的機能を有する衣服に関する。
【０００２】
こうした衣服は、例えば、快適さを与え、体をサポートし、体のパーツを圧縮するように機能する。こうした衣服の例としては、スポーツ下着、スポーツ衣服、シェイプウェア、又は更に、例えば、サポートストッキングなどの、医学的理由のため規定された特別なサポートウェアが挙げられる。
【０００３】
衣服が布地の１つを超える層を含む場合。皮膚接触を対象とした布地は、衣服の内部に位置された布地であり、その結果、着用の間、着用者の肌に触れている。
【０００４】
皮膚接触を対象とした布地を含む衣服に関する問題は、暖かさを感じること、又は更には、汗をかいている感じがすることである。これは、着用者にとって非常に不快である。衣服を着用している人が物理的活動をする場合、例えば、スポーツ衣服の場合に、又は、医学的機能を有する衣服の場合に、これは特に当てはまり、通常、最初に体に対してきつく、長期間、着用される必要がある。
【０００５】
本発明の目的は、こうした問題を示さない、スポーツ衣服、防護衣服、ボディシェーピング用衣服、及び医学的機能を有する衣服を提供することである。驚くべきことに、衣服において皮膚接触を対象とした布地を含む場合、この目的は得られ、この布地は、少なくとも２０重量％の、３０〜５００ＭＰａの弾性率（ＩＳＯ  ５２７、１ＢＡ、１ｍｍ／分、２３℃を有するポリマー組成物から生成されるフィラメントを含む。
【０００６】
好ましくは、布地は、少なくとも４０重量％、より好ましくは少なくとも６０重量％、より好ましくは少なくとも８０重量％、更により好ましくは少なくとも９８重量％の、３０〜５００ＭＰａの弾性率（ＩＳＯ  ５２７、１ＢＡ、１ｍｍ／分、２３℃を有するポリマー組成物から生成されるフィラメントを含む。
【０００７】
こうした布地は、皮膚に対して冷たく感じ、その結果、衣服は、非常に向上した快適さを有する。
【０００８】
好ましくは、ポリマー組成物は、少なくとも６０、より好ましくは少なくとも９０、更により好ましくは少なくとも１２０Ｍｐａの弾性率を有する。好ましくは、ポリマー組成物は、多くとも４５０、より好ましくは多くとも４００、更により好ましくは多くとも３５０ＧＰａの弾性率を有する。
【０００９】
ポリマー組成物において使用されるのに適切であるポリマーの例としては、熱可塑性ポリエステルエラストマー、熱可塑性ポリアミドエラストマー、及び熱可塑性ポリウレタンが挙げられる。冷却効果は、熱可塑性ポリエステルエラストマーにおいて特に顕著である。
【００１０】
フィラメントのサイズは、好ましくは０，５〜２０ｄｔｅｘ、より好ましくは１〜１０ｄｔｅｘである。このように、着用者に対して冷たい感じがするだけでなく、気持ちのよい柔らかい感じを有し、且つ、磨耗に耐性であることができる布地が得られる。
【国際調査報告】
2017533348.tif 000002
2017533348.tif 000003
(57)【要約】  帽子型プロファイル（１１）は、１４００ＭＰａを超える引張強度を有し、側方フランジ（１５、１６）に１１００ＭＰａ未満の引張強度の軟質バンド（２０）を有する。プロファイルは、一列の溶接ドット（１８）によってカバー（１７）に溶接される。側方フランジは、軟質バンド（２０）の両側に高強度ゾーン（２１、２２）を有する。
2017507789.tif 000002
【特許請求の範囲】
【請求項１】
１４００ＭＰａを超える引張強度を有する第１のシート状鋼（１１）と第２のシート状鋼（１７）との間の細長い溶接継手であって、第１のシート状鋼は、該溶接継手の周りに１１００ＭＰａ未満の引張強度の軟質ゾーン（２０）を有し、該軟質ゾーンは、溶接部（１８）の幅の１／２と該溶接部の幅の３倍との間の幅を有するバンド（２０）であり、第１のシート状鋼（１１）は、軟質バンドの両側に１４００ＭＰａを超える引張強度の高強度ゾーン（２１、２２）を有することを特徴とする、前記細長い溶接継手。
【請求項２】
溶接部は、一列の溶接スポット（１８）を含むことを特徴とする、請求項１に記載の細長い溶接継手。
【請求項３】
溶接部（１８）は、ビームの側方フランジ（１５、１６）に沿った溶接部であることを特徴とする、請求項１または２に記載の細長い溶接継手。
【請求項４】
溶接部（１８）は、帽子型プロファイルの形態の第１のシート状鋼（１１）の側方フランジ（１５、１６）に沿った溶接部であり、帽子型プロファイルには、該帽子型プロファイルの側方フランジ（１５、１６）に溶接される第２のシート状鋼（１７）によって閉じたプロファイルが与えられることを特徴とする、請求項３に記載の細長い溶接継手。
【請求項５】
ビームであって、
上面（１４）と、２つの側面（１２、１３）と、２つの側方フランジ（１５、１６）とを含む、第１のシート状鋼プロファイル（１１）と、
閉じたプロファイルのビームを形成するように溶接部（１８）によって側方フランジに接合される第２のシート状鋼（１７）と
を含み、
ここで、第１のプロファイル（１１）は、１４００ＭＰａを超える引張強度を有し、溶接部の周りに１１００ＭＰａ未満の引張強度の軟質ゾーン（２０）を有し、
該軟質ゾーンは、溶接部（１８）の幅の１／２と該溶接部の幅の３倍との間の幅を有するバンド（２０）の形態をしており、第１のシート状鋼は、軟質バンドの両側に、１４００ＭＰａを超える引張強度の高強度ゾーンを有することを特徴とする前記ビーム。
【発明の詳細な説明】
【技術分野】
【０００１】
本発明は、１４００ＭＰａを超える引張強度を有する第１のシート状鋼と第２のシート状鋼との間における細長い溶接継手に関する。第１のシート状鋼は、溶接継手に沿って、１１００ＭＰａ未満の引張強度の軟質ゾーンを有する。
【背景技術】
【０００２】
特許文献１には、カバープレート付きの帽子型ビームが開示されている。カバープレートは、帽子型ビームの側方フランジに溶接される。帽子型ビームは、プレス硬化プロセスによって作られ、１４００ＭＰａを超える引張強度を有する。その側方フランジの長さの諸部分は、高い引張強度を有し、他の部分は、１１００ＭＰａ未満の引張強度を有する。換算表によれば、引張強度１１００ＭＰａは、硬さ３３０ＨＶに相当する。
【先行技術文献】
【特許文献】
【０００３】
【特許文献１】ＷＯ２０１１／０７１４３４
【発明の概要】
【発明が解決しようとする課題】
【０００４】
本発明の目的は、溶接部の領域における微小亀裂の危険を低減することによって、１４００ＭＰａを超える引張強度を有するシート状の高張力鋼における溶接シームを増強することである。これは、例えば、変形によって衝突のエネルギーを吸収するように設計される車両構成要素にとって重要である。なぜなら、微細亀裂は、エネルギーを吸収する能力を減少させることになる亀裂のきっかけ（ｉｎｉｔｉａｔｏｒ）になるからである。特に、これは、帽子型ビームの高強度側方フランジに溶接されるカバーが付いた高張力鋼の帽子型ビームから構成される構成要素にとって重要である。
【課題を解決するための手段】
【０００５】
本発明の目的は、軟質ゾーンが溶接部の幅の１／２と溶接部の幅の３倍との間の幅を有し、第１のシート状鋼が、溶接継手の両側に１４００ＭＰａを超える引張強度の硬質ゾーンを有する場合に達成される。本発明は、特許請求の範囲によって定められる。
【図面の簡単な説明】
【０００６】
【図１】カバー付き帽子型プロファイルの長さの短い部分の等角透視図である。
【発明を実施するための形態】
【０００７】
帽子型プロファイル１１は、２つの側面１２、１３と、中央フランジ１４と、側方フランジ１５、１６とを有する。カバー１７は、一列のドット１８によって、２つの側方フランジに溶接される。帽子型プロファイルは、平坦なシート状鋼から形作られ硬化される。その引張強度は、１４００ＭＰａを超える。カバーは、より低い強度の冷間圧延シートであってよい。帽子型プロファイル１１およびカバー１７は、閉じたプロファイルのビームを形成する。
【０００８】
車両において、カバー付き帽子型プロファイルは、例えば、Ａ、ＢおよびＣピラーならびにドアビームである、セーフティービームとして使用される。そうしたビームは、塑性変形によって、側面衝突の際にエネルギーを吸収するように配置される。破損の前に鋼ができる限り塑性変形し、破損のきっかけが回避されなければならない。
【０００９】
溶接ドット１８のラインに沿って、各側方フランジは、そこに溶接ドットが位置する、１１００ＭＰａ未満、例えば５００〜１０００ＭＰａの引張強度の細い軟質バンド２０を有する。側方フランジは、軟質バンドの両側に全強度（ｆｕｌｌ  ｓｔｒｅｎｇｔｈ）を有する。軟質バンドは、溶接ドットの幅の半分と溶接ドットの幅の３倍との間の幅を有する。軟質バンドの強度がより低く延性がより高いことにより、溶接の間のＨＡＺ（熱影響部）における微小亀裂の形成がなくなる。そのような亀裂は、側面衝突の際の早期破損をトリガする恐れがある。
【００１０】
軟質バンドによって早期破損の危険が低減されるだけでなく、軟質バンド２０は細いので、側方フランジの全体的な強度の減少は比較的少なく、したがって、側方フランジは、軟質バンド２０の両側２１、２２において高い強度を有する。カバー１７は、１４００ＭＰａを超える強度を有することができ、プロファイル１１と同様の軟質バンドを有することができる。本発明は、他のシート状の高張力鋼アイテムにも適用可能である。
【図１】
2017507789.tif 000003
【国際調査報告】
2017507789.tif 000004
2017507789.tif 000005
2017507789.tif 000006
(57)【要約】  フォトマトリクスの不規則な湾曲による画像内部ズーム及び可変な対物レンズの焦点距離に基づく画像受信鮮鋭化調整装置。  光物理学の分野における請求項の技術的解決策は、カメラ、電子監視装置、ロボット工学、人工視覚、ビデオカメラへ応用し得る。  技術的解決策の目的は、上記の分野で応用し得る対物レンズのデザインを改善することである。  この問題を解決し及び一定の閉じ込められた体積内で対物のガラスレンズ間の焦点距離を変えるために、実施例は、可変の焦点距離の液状及びシリコンの受光レンズにより補完され、これは、動作環境を有するコンプレッサにより生じるシリコンレンズの両側の液状レンズの圧力差を介して対物焦点距離を変えることを可能にし、同時に対物レンズ及び不規則な湾曲のマトリクスの焦点を組み合わせることを可能にする。【選択図】  図１
2017507369.tif 000002
【特許請求の範囲】
【請求項１】
フォトマトリクスの不規則な湾曲による画像内部ズーム及び可変な対物レンズの焦点距離に基づく画像受信鮮鋭化調整装置であって、
カウンタバネによりハウジングに固定された多層のピクセルのマトリクスを有する膜で構成され、動作環境を有するコンプレッサは表面の湾曲の調整を可能にする。その新規性は、一定の閉じ込められた体積内で対物のガラスレンズの間の焦点距離を変えるために、実施例は、可変焦点距離の液状及びシリコンの受光レンズで補完され、これは、動作環境を有するコンプレッサにより生じるシリコンレンズの両側の液状レンズの圧力差を介して対物焦点距離を変えることを可能にし、同時に対物レンズ及び不規則な湾曲のマトリクスの焦点を組み合わせることを可能にする。
【発明の詳細な説明】
【技術分野】
【０００１】
光物理学の分野における請求項の技術的解決策は、カメラ、電子監視装置、ロボット工学、人工視覚、ビデオカメラへ応用し得る。
【先行技術】
【０００２】
マトリクスの不規則な湾曲及び内部ズームによる画像受信鮮鋭化装置は、ジャーナルＮｏ．２３／２０１４で２０１４年１２月１０日に発行のウクライナ特許Ｎｏ．１０７２６９に基づく。その原理は、マトリクスの表面全体に及ぶ改善された究極の鮮鋭化を得るための、調整可能な適切に湾曲した仮想フォーカスレンズＦと共に膜上に見られる不規則な湾曲のマトリクスを使用することである。この解決策の短所は、可変な焦点距離のマトリクスによる拡張された機能の範囲を提供し得ない固定された焦点距離のガラス受光レンズである。
【０００３】
技術的解決策の目的は、上記の分野で応用し得る対物レンズのデザインを改善することである。
【０００４】
この問題を解決し及び一定の閉じ込められた体積内で対物レンズのガラスレンズ間の焦点距離を変えるために、実施例は、可変の焦点距離の液状及びシリコンの受光レンズにより補完され、これは、動作環境を有するコンプレッサにより生じるシリコンレンズの両側の液状レンズの圧力差を介して対物焦点距離を変えることを可能にし、同時に対物及び不規則な湾曲のマトリクスの焦点を組み合わせることを可能にする。
【図面の簡単な説明】
【０００５】
【図１】図１は、概念図であり、装置の設計を説明するためのグラフィック画像を示す。
【図２】図２は、長焦点対物効果（long-focus objective effect）を実現するためのもの。
【図３】図３は、短焦点対物効果（short-focus objective effect）を実現するためのもの。
【図４】図４は、収差を示す図である（透視歪み（perspective distortions））。
【図５】図５は、収差補正を示す図である（透視歪み）。
【０００６】
請求項記載の鮮鋭化ズーム装置は、レンズ１及び９の焦点距離の調整を確保するコンプレッサ７に接続されたカメラハウジング６に装着された対物ハウジング５内にある固定焦点距離のレンズ４（ガラス）間にある、受光レンズ１（動作環境）及び９（光学シリコン）からなる。その後ろにダイアフラム８があり、対物２の内側にあるカウンタバネ２に位置する膜１０があり、多層の可撓性ピクセル３のマトリクスとともに、膜１０の表面の曲率及びマトリクス３の調整を確保するコンプレッサ７と接続されている。
【０００７】
請求項記載の装置は、以下の方法で操作する。広角の視野（visual perception）をズームするようタスクが設定されると、コンプレッサ７は圧力変化を介して膜１０及びマトリクス３を凹ませ（図３）、対物レンズ及び不規則な湾曲のマトリクスの焦点（複数）Ｆのコンスタントな整合で、レンズ９の両面の圧力の違いを通じてレンズ１及び９に隆起を加える。長焦点対物効果を得るために、コンプレッサ７は膜１０内で圧力を増加させて凹ませ（図２）、レンズ１及び９を変え、対物レンズを長焦点にする。そのため、故意に（意図的に）１８０から１度及びそれ以下へ、マクロから遠隔（ＴＥＬＥ）への可能なズームの任意の範囲における特定の焦点距離を設定することができる。
【０００８】
このようにして、請求項記載の技術的解決策が適用されたカメラ又は他の装置は、完全に密封され、対物レンズの体積を不変にし得る。不規則な湾曲のマトリクス３及び可変な焦点距離のレンズ１及び９の長所は、ズーム能力の最大限の拡大（広角から長焦点対物レンズへ）、及び球面収差の除去（図４−図５）、対物レンズを有するカメラの１０倍の軽量化、及び１０倍以上の光学効率の増加である。対物長は減少する。変わらない体積で完全な気密性である。液晶ダイヤフラムを用いた場合は、対物レンズに機械的な部品はない。不規則な湾曲のマトリクスは、カメラハウジング内に、対物レンズと一体的に又は別々に取り付け得る。
【０００９】
この新規の装置は、任意の焦点距離及び任意のデザインの既存ブランドの対物レンズを完全に置き換える。
【図１】
2017507369.tif 000003
【図２】
2017507369.tif 000004
【図３】
2017507369.tif 000005
【図４】
2017507369.tif 000006
【図５】
2017507369.tif 000007
【国際調査報告】
2017507369.tif 000008
2017507369.tif 000009
(57)【要約】  本発明の目的は、老眼矯正のための眼科用薬理組成物を、眼及び周辺軟組織の表面に滴下される形態（滴下剤）で、又は、持続徐放用途で結膜下腔内に外科的に導入されるインプラントの形態で提供することである。【選択図】なし【特許請求の範囲】
【請求項１】
老眼矯正のための眼科用薬理組成物であって、ヒアルロン酸ナトリウムを０．１％〜０．９％、ジクロフェナクナトリウムを０．００６％〜０．０１２％、塩酸ピロカルピンを０．２％〜０．４％含む組成物。
【請求項２】
８時間当たり１〜２滴の滴下剤の形態で眼表面に投与される、請求項１に記載の眼科用薬理組成物の使用。
【請求項３】
持続徐放性インプラントの形態で、結膜下腔内に外科的に導入されることにより投与される、請求項１に記載の眼科用薬理組成物の使用。
【発明の詳細な説明】
【技術分野】
【０００１】
本発明の目的は、老眼の矯正に用いられる眼科用薬理組成物であって、眼及び周辺軟組織の表面に滴下される形態（滴下剤）、又は、持続徐放用途で眼内に外科的に導入されるインプラントの形態の組成物を提供することである。滴下剤又はインプラントにより、瞳孔のサイズの縮小が達成され、惹いては被写界深度が増加し、眼の高次光学収差の大きさが低下することにより、近位及び遠位の裸眼視力が改善される。本発明は、国際特許分類のクラスＡ６１Ｋ ４５／０６、Ａ６１Ｋ ３１／４１７８及びＡ６１Ｐ ２７／１０に属する。
【背景技術】
【０００２】
若年正視者が近位対象を凝視する際には、眼内で２つの大きな変化が生じる。遠近調節及び縮瞳である。遠近調節は水晶体の屈折力の変化による。レンズの円形度が大きくなるほどその屈折力は増大する。縮瞳は瞳孔サイズの縮小である。これにより焦点深度が増加し、高次収差が減少する。
【０００３】
縮瞳及び遠近調節は何れも副交感神経系の影響で生じる。副交感神経作用薬であるアセチルコリンはムスカリン性受容体に結合し、瞳孔の毛様筋及び括約筋の筋収縮を誘導する。
【０００４】
老眼は、遠近調節幅が徐々に失われることにより、近位の対象に焦点を合わせる能力が加齢に伴い減退することである。５０歳直後から、水晶体は遠近調節の光学変化を生じる能力を喪失する。客観的測定によれば、遠近調節幅の消失は５０歳頃から進行するが、この時点ではまだ約１ジオプター程度である。これは収差及び縮瞳による焦点深度であり、偽遠近調節と定義される。
【０００５】
老眼の矯正には、眼鏡、コンタクトレンズ、又は眼内インプラントと、角膜剥離又はインレーとが使用されてきた。老眼を矯正するのに提案されてきた方法は、自然老化や他の原因により減退した本来の眼の遠近調節機能を、完全に回復するものではなかった。老眼に繋がる眼の遠近調節機能の自然喪失を回復するのに、薬理的処置が提案されてきた。欧州特許第１９３８８３９号明細書では、副交感神経作用薬と非ステロイド系抗炎症剤との組み合わせが提案されており、ここで使用されている副交感神経作用薬は、濃度１％〜２％のピロカルピン（又はその塩）である。斯かる濃度の副交感神経作用薬では、不所望の副作用が生じるおそれがある。
【０００６】
また、眼底への硝子体内マイクロインサートにより眼科用組成物を持続放出して送達する方法が、効率的且つ有利であることが知られている。斯かる処置は国際公開第２０１１／０７９１２３号公報に記載されている（添付の特許文献である国際公開第２０１１／０７９１２３号公報に述べられている方法の記載）。斯かるマイクロインサートの利点は、徐放成分が眼内に留まり、眼表面に導入された流体を排出するための天然の廃液溝を通じて失われることがない、という点である。当該マイクロインサートは、点眼薬を何度も施用する作業が省けるという点で、使用者（患者）の時間及び手間を省略できるという利点がある。
【発明の概要】
【課題を解決するための手段】
【０００７】
本発明は、前述の他の文献に記載の方法のような有害な影響を伴うことなく、老眼の矯正に使用できる眼科用組成物に関する。
【０００８】
本発明に係る眼科用組成物は、ヒアルロン酸ナトリウムを０．１％〜０．９％、ジクロフェナクナトリウムを０．００６％〜０．０１２％、そして塩酸ピロカルピンを０．２％〜０．４％含む。本発明の組成物は、快適性及び全体効率を改善するために添加、修飾、置換、又は除去可能な、他の成分を含む態様にも及ぶ。
【発明を実施するための形態】
【０００９】
本発明の実施態様は以下のとおりである。
【００１０】
本点眼薬の構成成分が天然虹彩の筋繊維に及ぼす作用の結果、瞳孔のサイズは収縮する。縮瞳が誘導されることにより、焦点深度は増加し、高次収差の程度が縮小し、裸眼による近位及び遠位の視力が改善される。
【００１１】
本組成物の利点は、i）低用量、ii）抗炎症作用、iii）快適性である。文献調査によれば、本組成物の何れの成分も、本発明で規定する濃度では、長期投与により眼に対して有害作用を及ぼすことは知られていない。これは発明者らによる１００を超える症例（６２の対象）の観察によっても支持される。
【００１２】
本点眼薬の使用が提案されるのは、近位視覚の処方を受ける概ね健康良好なヒト、以前にレーザーによる角膜の眼手術（ＬＡＳＩＫ又はＰＲＫ）を受けた者、以前に定型的な白内障手術を受け、標準的な単焦点眼内インプラントレンズのインプラントを受けた者である。眼表面に１又は２滴を点眼することで、通常は数分間で遠位及び近位の視力改善が報告され、作用は最大８時間持続する。
【００１３】
局所点眼を用いた誘発試験により患者に効果があると決定した後に、徐放性インプラントを眼科手術により結膜下腔に外科的に導入する。本組成物の成分は受動的に虹彩に到達し、瞳孔のサイズを変更する虹彩の筋繊維に作用する。斯かる作用により被写界深度が増大し、惹いては本願明細書に記載するように、遠位及び近位の視力が改善される。
【国際調査報告】
2017505805.tif 000002
2017505805.tif 000003
2017505805.tif 000004
(57)【要約】  共用呼吸穴を有する保護呼吸マスクは、吐き出しと吸い込みの両方に有用である少なくとも一つの穴（２）を備え、濾過能力がナノファイバーの濾布から成る取り外し可能なフィルター（１）により達成される。
2017509377.tif 000002
【特許請求の範囲】
【請求項１】
保護呼吸マスクは、吐き出しと吸い込みの両方に有用である少なくとも一つの穴（２）を備え、濾過能力がナノファイバーの濾布から成る取り外し可能なフィルター（１）を使用することにより達成されることを特徴とする共用呼吸穴を有する保護呼吸マスク。
【請求項２】
前記保護呼吸マスクは二成分射出技術により製造されることを特徴とする請求項１に記載の共用呼吸穴を有する保護呼吸マスク。
【発明の詳細な説明】
【技術分野】
【０００１】
本発明は、吸い込み空気と吐き出し空気の双方向の流れを許容するナノファイバーのフィルターを備えた共用呼吸穴を有する保護呼吸マスクに関する。
【背景技術】
【０００２】
現在、マスクの本体に少なくとも一つの吸い込み穴と少なくとも一つの吐き出し穴を有する保護マスクがあり、その吐き出し部分は柔軟な膜を含み、マスクに対すると共に呼吸時に保護マスクを使用する人間の呼吸システムに対する濾過されていない空気の侵入を防止する。現在のフィルターの構造は吸い込み及び吐き出し時に十分な気流を許容しないため、吐き出し時にその膜は吐き出される空気の圧力により押し出されて、吐き出された空気は吐き出し穴により漏れる。技術的な観点から、現在の保護マスクは個別の部分として製造された後に最終製品に組み立てられる。提案された設計の解決策は保護マスクの本体（柔軟な部分３と固い部分４）を得るために二成分射出技術を使用することであり、選択できる解決策によれば、円形又は長方形のフィルターが接続される。
【発明の概要】
【０００３】
（技術的解決策の原理）
本解決策は、ナノファイバーのフィルターを使用してマスクの濾過能力が保持されるため、吸い込み及び吐き出し時にマスクの本体に気流用の穴を一つだけ使用することを可能にする。マスクの能力は、異なる濾過目的及び特に濾過された粒子のサイズ及び性質に関連して定義可能な使用されるナノファイバーのフィルターの種類により与えられる。
【発明を実施するための形態】
【０００４】
（技術的解決策の実施例）
現在の解決策は、ナノファイバーのフィルター１を使用してマスクの濾過能力が保持されるため、吸い込み及び吐き出し時にマスクの本体に気流用の穴２を一つだけ使用することを可能にする。マスクの能力は、異なる濾過目的及び特に濾過された粒子のサイズ及び性質に関連して定義可能な使用されるナノファイバーのフィルターの種類により与えられる。
【０００５】
本設計では、マスクは柔軟な部分３と固い部分４とにより構成されている。固い部分４は、フィルター１に接続するために使用され、ゴム引布の縫われたリボンを使用して顔に保護マスクを固定する固定耳５を備えている。柔軟な部分３は、密閉ヘムを有する顔マスクの縁の密閉のためであり、それは通常、この目的のために使用される。フィルター１間の密閉はフィルターの一部分である柔軟なＯリング６を使用して行われ、この領域の密閉部分の間の締め付けにより起こり、又は取り外し可能な柔軟なＯリングが統合された密閉エレメント７により置換され、それはマスクの固い部分にあり、再び、フィルター１の表面と固い部分４の表面の間を締め付け、相互の密閉が起こる。
【０００６】
（産業効率）
空気の吸い込み及び吐き出しのためにそれぞれ使用される一つだけの穴を有する保護マスクの本解決策は、保護呼吸マスクの製造工程を著しく簡素化し、保護呼吸マスクの製造コストの低減に直接影響を及ぼすだけでなく、同じ濾過能力を維持しながら取り外し可能なフィルターの必要性を減少させ、マスクの使用時の運転コストの低減にも直接影響を及ぼす。さらに、空気の吸い込み及び吐き出しのためにそれぞれ使用される一つだけの穴を有する保護呼吸マスクは、膜とその密閉面との間の境界面が濾過された空気の空間に対すると共に人間の呼吸システムに対する濾過粒子の侵入の可能性に関して潜在的なリスクを有する吐き出し穴と膜を有する保護マスクと比較して、漏れの可能性に関して非常に高い安全性を提供する。
【図１−２】
2017509377.tif 000003
【図２−２】
2017509377.tif 000004
【国際調査報告】
2017509377.tif 000005
2017509377.tif 000006
2017509377.tif 000007